(57)【特許請求の範囲】
【請求項１】
複数の再生モードからいずれかのモードを選択する選択手段と、
画像記録媒体から表示すべき画像データ及びその設定アスペクト比情報を読み込む手段と、
表示すべき画像データのアスペクト比とその設定アスペクト比情報が示すアスペクト比とが異なる場合に、前記選択手段により選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御手段
とを具備することを特徴とする表示制御装置。
【請求項２】
前記複数の再生モードには、画像を個別に再生する通常再生モードと、複数の画像を自動切換え式で再生するスライドショーモードとを含んでおり、
前記制御手段は、前記通常再生モードでは、表示すべき画像データのアスペクト比とその設定アスペクト比情報が示すアスペクト比が異なる場合に、前記画像データの画像に、前記設定アスペクト比情報が示すアスペクト比の範囲を示す線を重畳して表示する画像信号を生成し、前記スライドショーモードでは、表示すべき画像データのアスペクト比とその設定アスペクト比情報が示すアスペクト比が異なる場合に、前記表示すべき画像データの、前記設定アスペクト比情報が示すアスペクト比の範囲内の画像を表示する画像信号を生成するように制御する
ことを特徴とする請求項１に記載の表示制御装置。
【請求項３】
前記表示すべき画像データが、表示用ＪＰＥＧ画像データを含むＲＡＷ画像データである場合、前記表示すべき画像データのアスペクト比を、前記表示用ＪＰＥＧ画像から取得することを特徴とする請求項１または２に記載の表示制御装置。
【請求項４】
複数の再生モードからいずれかのモードを選択する選択ステップと、
画像記録媒体から表示すべき画像データ及びその設定アスペクト比情報を読み込むステップと、
表示すべき画像データのアスペクト比とその設定アスペクト比情報が示すアスペクト比とが異なる場合に、前記選択ステップで選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御ステップ
とを具備することを特徴とする表示制御方法。
【請求項５】
複数の再生モードからいずれかのモードを選択する選択機能と、
画像記録媒体から表示すべき画像データ及びその設定アスペクト比情報を読み込む機能と、
表示すべき画像データのアスペクト比とその設定アスペクト比情報が示すアスペクト比とが異なる場合に、前記選択機能により選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御機能
とをコンピュータに実現させるための表示制御プログラム。
【請求項６】
請求項５に記載の表示制御プログラムを記録したことを特徴とする記録媒体。
【発明の詳細な説明】
【技術分野】
【０００１】
本発明は、表示制御装置、方法及びプログラムに関し、特に自動で画像送りを行うスライドショー機能を有する表示制御装置、方法及びプログラム並びに記録媒体に関する。
【背景技術】
【０００２】
【先行技術文献】
【特許文献】
【０００３】
【特許文献１】特開平８−３３１４４９号公報
【０００４】
従来、撮影者が設定したアスペクト比で画像を記録できない場合、画像にアスペクト比情報を付加し、画像表示時に付加されたアスペクト比情報に応じたマスクを画像に施すことで、撮影者が設定したアスペクト比の画像を表示していた。
【０００５】
例えば、特許文献１には、フィルムからフィルム画像とアスペクト比情報を読み取り、読み取ったアスペクト比情報に応じて画像の表示領域外に電気的なマスクをかける技術が記載されている。
【発明の概要】
【発明が解決しようとする課題】
【０００６】
しかし、従来技術では、画像に付加されたアスペクト比情報を無視して記録されている画像データを確認したい場合、付加されたアスペクト比情報を変更し、マスクを外す操作が必要だった。このため、アスペクト比を変更する手間が発生し、アスペクト比を変更した結果、用途に合わないアスペクト比で画像が表示されることがあった。
【０００７】
本発明は、このような不都合を解消する表示制御装置、方法及びプログラム並びに記録媒体を提示することを目的とする。
【課題を解決するための手段】
【０００８】
本発明に係る表示制御装置は、複数の再生モードからいずれかのモードを選択する選択手段と、画像記録媒体から表示すべき画像データ及びその設定アスペクト比情報を読み込む手段と、表示すべき画像データのアスペクト比とその設定アスペクト比情報が示すアスペクト比とが異なる場合に、前記選択手段により選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御手段とを具備することを特徴とする。
本発明に係る表示制御方法は、複数の再生モードからいずれかのモードを選択する選択ステップと、画像記録媒体から表示すべき画像データ及びその設定アスペクト比情報を読み込むステップと、表示すべき画像データのアスペクト比とその設定アスペクト比情報が示すアスペクト比とが異なる場合に、前記選択ステップで選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御ステップとを具備することを特徴とする。
本発明に係る表示制御プログラムは、複数の再生モードからいずれかのモードを選択する選択機能と、画像記録媒体から表示すべき画像データ及びその設定アスペクト比情報を読み込む機能と、表示すべき画像データのアスペクト比とその設定アスペクト比情報が示すアスペクト比とが異なる場合に、前記選択機能により選択されている再生モードに応じて、前記画像データの画像に、前記設定アスペクト比情報が示すアスペクト比の範囲を示す線を重畳して表示する画像信号を生成するか、前記表示すべき画像データの、前記設定アスペクト比情報が示すアスペクト比の範囲内の画像を表示する画像信号を生成するかを切り替え制御する制御機能とをコンピュータに実現させるためのプログラムである。
【発明の効果】
【００１１】
本発明によれば、記録画像の全体を視覚的に確認できると共に、撮影者が設定したアスペクト比で記録画像を表示する、品位の高いスライドショーを実現できる。
【図面の簡単な説明】
【００１２】
【図１】本発明の一実施例の概略構成ブロック図である。
【図２】アスペクト比設定画面例である。
【図３】アスペクト比設定時の撮影画面例である。
【図４】設定アスペクト比情報が記録されたファイル形式の説明図である。
【図５】設定アスペクト比情報を用いた画像表示例の説明図である。
【図６】本実施例の動作フローチャートである。
【図７】本実施例の別の動作フローチャートである。
【発明を実施するための形態】
【００１３】
以下、図面を参照して、本発明の実施例を詳細に説明する。
【実施例１】
【００１４】
図１は、本発明に係る表示制御装置の一実施例を有する撮像装置の概略構成ブロック図を示す。図１に示す撮像装置１００において、１１は撮像光学系である。１２はイメージセンサ（ＣＣＤセンサ、ＣＭＯＳセンサ等）等の撮像素子である。１３は撮像して得られたアナログ画像信号をデジタル信号に変換するＡ／Ｄ変換回路である。１４はガンマ補正等の公知の画像処理を行うプロセス回路である。１５は撮像光学系１１の露出及び測距を制御する露出・測距制御装置である。１０は撮影する画像のアスペクト比設定部である。
【００１５】
１は画像データの圧縮・伸長を行い、外部メモリ７との間でデータをやり取りするメモリ制御部（記録再生部）である。６は画像の展開に使用するメモリである。７は撮影画像の画像データが記録される画像記録媒体としての外部メモリである。２は画像表示用のメモリ（バッファメモリ）である。３は撮像画像を表示するモニタ表示部である。４は外部表示装置に映像を出力するためのＩ／Ｆである。８はアスペクト比情報読み込み制御部である。９は操作スイッチである。５はＣＰＵ等からなるシステム制御装置である。
【００１６】
撮像装置１００の撮像動作を説明する。撮影者による操作スイッチ９（カメラのメインＳＷ、レリーズＳＷ、操作ボタン等で構成）の状態変化をシステム制御装置５が検出し、他の各回路ブロックへの電源供給を開始する。そして、システム制御装置５は、一定間隔ごとに撮像光学系１１とその制御装置１５によりシャッタ速度及び絞り値等を決定し、画像の撮影を行う条件と撮影をされる画像をモニタ表示部３にライブビューで表示させる。
【００１７】
撮影者が操作スイッチ９の操作により撮影動作を指示すると、システム制御装置５からの制御信号によって撮像光学系１１が作動し、撮像光学系１１による光学像が撮像素子１２上に結像する。撮像素子１２から出力される電気画像信号は、画素順にＡ／Ｄ変換回路１３によりデジタル信号に変換された後、画像処理回路１４に入力される。画像処理回路１４は、撮像素子１２により撮像された画像信号を基にＲ（赤）、Ｇ（緑）及びＢ（青）の各色成分の画像データを生成する。各色成分データはフレームメモリ６内に一時記憶される。メモリ制御装置１が、フレームメモリ６内の各色の画像データを所定の圧縮フォーマットに基づいてデータ圧縮し、圧縮データを外部メモリ７に記録する。外部メモリ７は、例えば、フラッシュメモリ等の不揮発性メモリである。
【００１８】
撮影者は、アスペクト比設定部１０により、外部メモリ７に記録される画像データ（記録画像データ）にアスペクト比を指定できる。アスペクト比設定部１０により設定されたアスペクト比情報（設定アスペクト比情報）は、外部メモリ７に記録される画像データに付加される。付加されるべきアスペクト比を選択するために図２に示すメニュー画面をモニタ表示部３に表示し、撮影者が、設定すべきアスペクト比を操作スイッチ９で選択する。付加できるアスペクト比は３：２、４：３、１６：９及び１：１の何れかである。
【００１９】
アスペクト比が設定されると、ライブビュー表示の際に、図３に示すように、設定アスペクト比に応じた線がモニタ表示部３に表示される。図３（ａ）はアスペクト比３：２設定時の表示例を示す。図３（ｂ）はアスペクト比４：３設定時の表示例を示す。図３（ｃ）はアスペクト比１６：９設定時の表示例を示す。図３（ｄ）はアスペクト比１：１設定時のモニタ表示部３の表示例を示す。図３（ａ）は、撮像素子１２により撮像される画像のアスペクト比と、設定アスペクト比が一致している場合であり、設定アスペクト比に応じた線は表示されない。アスペクト比情報を付加しない場合も、同様に、アスペクト比に応じた線は表示されず、モニタ表示部３の表示は図３（ａ）のようになる。
【００２０】
記録画像データのファイル構成は、図４に示すように、画像データ部とヘッダ部からなる。画像データ部には、ＲＡＷ画像データ、表示用ＪＰＥＧ画像データ及びＤＣＦサムネイル画像データが記録される。ヘッダ部には、ＲＡＷ画像データのサイズ情報、アスペクト比情報及びその他の撮影情報等が記録される。ＲＡＷ画像データ及び表示用ＪＰＥＧ画像データのアスペクト比は撮像素子１２のアスペクト比である。ＤＣＦサムネイルのアスペクト比は、規格により定められた４：３である。ただし、ＤＣＦサムネイル画像データには撮像素子１２のアスペクト比を維持した画像が縮小して記録される。図４（ａ）は、アスペクト比３：２が付加されたファイルのファイル構造の模式図を示す。図４（ｂ）は、アスペクト比４：３が付加されたファイルのファイル構造の模式図を示す。設定アスペクト比に対応した数値をアスペクト比情報として記録することで、撮影時のアスペクト比が識別できる。
【００２１】
外部メモリ７に記録された記録画像データは、ユーザが操作スイッチ９で所定の操作を行うことで、再生表示される。すなわち、その操作に応じて、外部メモリ７に記録される再生指定された画像の圧縮データがメモリ制御装置１に読み出され、伸長される。伸長により復元された画像データは画像表示メモリ２に書き込まれ、モニタ表示部３により画像として表示される。
【００２２】
記録画像を表示するモードには、確認が主な用途であり、指定された画像を個別に再生する通常再生モードと、鑑賞が主な用途であるスライドショーモードがある。通常再生モードでは、ユーザの操作スイッチ９による指示で表示される画像が手動で切り替わる。他方、スライドショーモードは、複数の画像を自動切換え式で再生するモードであり、外部メモリ７に記録される画像を規定時間表示した後に自動で切り替える。
【００２３】
図５は、アスペクト比情報が付加された画像をモニタ表示部３に表示する例を示す。図５（ａ）は、記録画像データのアスペクト比と、記録画像データに付加された設定アスペクト比情報が示すアスペクト比が一致する場合の表示例を示す。この場合、記録画像はそのまま表示され、設定アスペクト比情報に関する表示は行われない。システム制御装置５は、外部メモリ７から画像データファイルを読み出し、そのヘッダ部を参照することで、記録画像データのアスペクト比と、記録画像データに付加された設定アスペクト比情報を取得する。ＪＰＥＧ画像ファイルの場合、ＪＰＥＧ画像からこれらの情報を取得し、ＲＡＷ画像ファイルの場合、ＲＡＷ画像ファイルに含まれる表示用ＪＰＥＧ画像から取得する。ＲＡＷ画像ファイルの画像をモニタ表示部３に表示する場合、表示用ＪＰＥＧ画像データを表示に使用するからである。
【００２４】
図５（ｂ）及び図５（ｃ）は、記録画像データのアスペクト比と、記録画像データに付加された設定アスペクト比情報が示すアスペクト比が一致しない場合の表示例を示す。図５（ｂ）は、アスペクト比４：３のアスペクト比情報が付加された画像例を示し、図５（ｃ）は、アスペクト比１６：９のアスペクト比情報が付加された画像例を示す。記録画像データをそのまま表示しつつ、ファイルのヘッダ部に記録された設定アスペクト比情報からアスペクト比を取得し、そのアスペクト比に応じた線を表示画像に重畳して表示する。この表示により、記録画像の全てを視覚的に確認でき、付加された設定アスペクト比情報の表示領域内の画像も確認できる。
【００２５】
図５（ｄ）及び図５（ｅ）は、記録画像データのアスペクト比と、記録画像データに付加された設定アスペクト比情報が示すアスペクト比が一致しない場合の表示例である。図５（ｄ）は、アスペクト比４：３のアスペクト比情報が付加された画像例を示し、図５（ｅ）は、アスペクト比１６：９のアスペクト比情報が付加された画像例を示す。記録画像データのうち、アスペクト比情報に応じた範囲内のみを切り出して表示し、設定アスペクト比情報に関する表示は行わない。この表示例では、付加されたアスペクト比の表示領域内の画像データのみ、すなわち、撮影者の意図した画像が表示される。画像データの切り出しは、システム制御装置５がアスペクト比情報読み込み装置８で読み込んだアスペクト比情報を用いて、メモリ制御装置１から画像表示メモリ２への転送を制御することで行う。
【００２６】
図６は、設定アスペクト比情報を用いた画像表示のフローチャートである。ステップＳ６０１で、システム制御装置５は、スライドショーかどうか判断する。スライドショーでない（通常再生）場合、ステップＳ６０２以降の通常再生のフローに遷移する。スライドショーの場合、ステップＳ６５２以降のスライドショーのフローに遷移する。
【００２７】
通常再生の場合、ステップＳ６０２、Ｓ６０３で、システム制御装置５は、メモリ制御装置１及びアスペクト比情報読み込み装置８を使って、外部メモリ７からＮ番目の画像データと設定アスペクト比情報を読み込む。
【００２８】
ステップＳ６０４で、システム制御装置５は、その画像データのアスペクト比と画像データに付加された設定アスペクト比情報が示すアスペクト比とを比較する。一致する場合、ステップＳ６０５で、システム制御装置５は、図５（ａ）の表示を行う。一致していなければ、ステップＳ６０６で、システム制御装置５は、付加された設定アスペクト比情報に応じて図５（ｂ）または図５（ｃ）のような表示を行う。
【００２９】
ステップＳ６０７で、システム制御装置５は、通常再生を終了する指示があれば通常再生を終了し、終了指示がなければ、通常再生を続ける。
【００３０】
ステップＳ６０８で画像送り指示があると、ステップＳ６０９で、システム制御装置５は、ＮにＮ＋１を代入し、ステップＳ６０２に戻る。画像送り指示がなければ、ステップＳ６０７に戻る。
【００３１】
スライドショーの場合、ステップＳ６５２、Ｓ６５３で、システム制御装置５は、メモリ制御装置１及びアスペクト比情報読み込み装置８を使って、外部メモリ７からＮ番目の画像データと設定アスペクト比情報を読み込む。
【００３２】
ステップＳ６５４で、システム制御装置５は、その画像データのアスペクト比と画像データに付加された設定アスペクト比情報が示すアスペクト比を比較する。一致する場合、ステップＳ６５５で、システム制御装置５は図５（ａ）の表示を行う。一致していない場合、ステップＳ６５６で、システム制御装置５は、付加された設定アスペクト比情報に応じて図５（ｄ）または図５（ｅ）のような表示を行う。
【００３３】
ステップＳ６５７で、システム制御装置５は、スライドショーを終了する指示があるとスライドショーを終了し、終了指示がなければスライドショーを続ける。
【００３４】
ステップＳ６５８で規定時間経過していると、ステップＳ６５９で、システム制御装置５はＮにＮ＋１を代入し、ステップＳ６５２に戻る。規定時間経過していなければ、ステップＳ６５７に戻る。
【実施例２】
【００３５】
図７は、図１に示す実施例の映像出力動作の別の動作フローチャートを示す。画像データを表示するデバイスとして、モニタ表示部３と外部の表示デバイスを選択できる。
【００３６】
ステップＳ７０１で、システム制御装置５は、外部モニタ出力かどうかを判断する。外部モニタ出力でない（モニタ表示部３で表示）場合、ステップＳ７０２以降を実行するが、その内容は、ステップＳ６０２以降のフローと同じである。
【００３７】
外部モニタ出力の場合、ステップＳ７５２、Ｓ７５３で、システム制御装置５は、メモリ制御装置１及びアスペクト比情報読み込み装置８を使って、外部メモリ７からＮ番目の画像データと設定アスペクト比情報を読み込む。
【００３８】
ステップＳ７５４で、システム制御装置５は、画像データのアスペクト比と画像データに付加された設定アスペクト比情報が示すアスペクト比とを比較する。一致する場合、ステップＳ７５５で、システム制御装置５は、図５（ａ）の表示を行う。一致しない場合、ステップＳ７５６で、システム制御装置５は、付加された設定アスペクト比情報に応じて図５（ｄ）または図５（ｅ）の表示を行う。
【００３９】
ステップＳ７５７で、システム制御装置５は、通常再生を終了する指示がある場合に通常再生を終了し、終了指示がなければ、通常再生を続ける。
【００４０】
ステップＳ７５８で、画像送り指示があると、ステップＳ７５９で、システム制御装置５は、ＮにＮ＋１を代入し、ステップＳ７５２に戻る。画像送り指示がなければ、システム制御装置５は、ステップＳ７５７に戻る。
【００４１】
なお、システム制御装置５の制御は１つのハードウェアが行ってもよいし、複数のハードウェアが処理を分担することで、装置全体の制御を行ってもよい。システム制御装置５は、その機能を実現する表示制御プログラムとして実装することができる。
【００４２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４３】
また、上述した実施形態においては、本発明をデジタルカメラに適用した場合を例に説明したが、これらの実施例に限定されない。
【００４４】
本発明は、以下の処理を実行することによっても実現される。即ち、上述した実施形態の機能を実現するソフトウェア（プログラム）をネットワーク又は記憶媒体を介してシステム又は装置に供給し、そのシステム又は装置のＣＰＵやＭＰＵ等がプログラムコードを読み出して実行する処理である。この場合、そのプログラム、及び該プログラムを記憶した、コンピュータ読み取り可能な記録媒体は本発明を構成することになる。
【図１】
0005539078.tif 000002
【図２】
0005539078.tif 000003
【図３】
0005539078.tif 000004
【図４】
0005539078.tif 000005
【図５】
0005539078.tif 000006
【図６】
0005539078.tif 000007
【図７】
0005539078.tif 000008